(57)【特許請求の範囲】
【請求項１】
（１）  母茎として利用する甘蔗を栽培し、それが所要の茎丈となったとき、頂芽成長点を含む上側茎を切除するとともに、残存する下側茎の葉を取り払って母茎とすること、
（２）  上記母茎の節に発芽する一次腋芽が、第８〜１４芽苞より第１〜７展開葉が伸長するまで成長したとき、すなわち、展開葉を少なくとも７枚有する一次枝茎に成長したとき、その一次枝茎を、第５節部分であってかつ第４芽苞と第５芽苞の重合部分の中間でカットし、その重合部分に位置する頂芽成長点を含む一次枝茎上側茎を切除し、これにより、母茎の各節の一次腋芽の着生部に一次枝茎基部だけを残存させること、
（３）  その一次枝茎基部の節に発芽する二次腋芽を、二次枝茎に成長させ、上記一次枝茎基部に二次枝茎を集中群生させて二次枝茎塊とすること、
（４）  上記一次枝茎基部を母茎の着生部分で切断することにより上記二次枝茎塊全体を母茎から切り離し、その二次枝茎塊から二次枝茎を、その各々に芽基および根基組織部分を付けた状態にして切り離すことを特徴とする甘蔗の苗用枝茎の栽培生産法。
【請求項２】
（１）  母茎として利用する甘蔗を栽培し、それが所要の茎丈となったとき、頂芽成長点を含む上側茎を切除するとともに、残存する下側茎の葉を取り払って母茎とすること、
（２）  上記母茎の節に発芽する一次腋芽が、第８〜１４芽苞より第１〜７展開葉が伸長するまで成長したとき、すなわち、展開葉を少なくとも７枚有する一次枝茎に成長したとき、その一次枝茎を、第５節部分であってかつ第４芽苞と第５芽苞の重合部分の中間でカットし、その重合部分に位置する頂芽成長点を含む一次枝茎上側茎を切除し、これにより、母茎の各節の一次腋芽の着生部に一次枝茎基部だけを残存させること、
（３）  その一次枝茎基部の節に発芽する二次腋芽が、展開葉を５〜６枚有する二次枝茎に成長したとき、その二次枝茎を、第５節部分であってかつ第４芽苞と第５芽苞の重合部分の中間でカットし、その重合部分に位置する頂芽成長点を含む二次枝茎上側茎を切除し、これにより、母茎の各節の上記一次枝茎基部に二次枝茎基部を残存させること、
（４）  その二次枝茎基部の節に発芽する三次腋芽を、展開葉が最多で５枚となる三次枝茎に成長させ、その三次枝茎を上記一次枝茎基部に二次枝茎基部を介し集中群生させて三次枝茎塊とすること、
（５）  上記一次枝茎基部を母茎の着生部分で切断することにより上記三次枝茎塊全体を母茎から切り離し、その三次枝茎塊から三次枝茎を、その各々に芽基および根基組織部分を付けた状態にして切り離すことを特徴とする甘蔗の苗用枝茎の栽培生産法。
【請求項３】
（１）  母茎として利用する甘蔗を栽培し、それが所要の茎丈となったとき、頂芽成長点を含む上側茎を切除するとともに、残存する下側茎の葉を取り払って母茎とすること、
（２）  上記母茎の節に発芽する一次腋芽が、第８〜１４芽苞より第１〜７展開葉が伸長するまで成長したとき、すなわち、展開葉を少なくとも７枚有する一次枝茎に成長したとき、その一次枝茎を、第５節部分であってかつ第４芽苞と第５芽苞の重合部分の中間でカットし、その重合部分に位置する頂芽成長点を含む一次枝茎上側茎を切除し、これにより、母茎の各節の一次腋芽の着生部に一次枝茎基部だけを残存させること、
（３）  その一次枝茎基部の節に発芽する二次腋芽が、展開葉を５〜６枚有する二次枝茎に成長したとき、その二次枝茎を、第５節部分であってかつ第４芽苞と第５芽苞の重合部分の中間でカットし、その重合部分に位置する頂芽成長点を含む二次枝茎上側茎を切除し、これにより、母茎の各節の一次枝茎基部に二次枝茎基部を残存させること、
（４）  その二次枝茎基部の節に発芽する三次腋芽を、展開葉が５〜６枚となる三次枝茎に成長させ、その三次枝茎を、第５節部分であってかつ第４芽苞と第５芽苞の重合部分の中間でカットし、その重合部分に位置する頂芽成長点を含む三次枝茎上側茎を切除し、これにより、上記二次枝茎基部に三次枝茎基部を残存させること、
（５）  その三次枝茎基部の第５節以降の節に発芽する四次腋芽を、展開葉を最多で５枚有する四次枝茎に成長させ、その四次枝茎を上記一次枝茎基部に二次枝茎基部および三次枝茎基部を介し集中群生させて四次枝茎塊とすること、
（６）  上記一次枝茎基部を母茎の着生部分で切断することにより上記四次枝茎塊全体を母茎から切り離し、その四次枝茎塊から四次枝茎を、その各々に芽基および根基組織部分を付けた状態にして切り離すことを特徴とする甘蔗の苗用枝茎の栽培生産法。
【請求項４】
母茎として利用する甘蔗を栽培し、それが所要の茎丈となったとき、第１節から第１２節までを残して、その上方部分、すなわち頂芽成長点を含む上側茎を切除するとともに、残存する下側茎の葉を取り払って母茎とすることを特徴とする請求項１，２または３記載の甘蔗の苗用枝茎の栽培生産法。
【請求項５】
母茎として利用する甘蔗を、成熟した蔗茎から得た２節苗を植え付けることによって栽培することを特徴とする請求項１，２，３または４記載の甘蔗の苗用枝茎の栽培生産法。
【発明の詳細な説明】
【０００１】
【発明の属する技術分野】
本発明は、甘蔗の苗用枝茎の栽培生産法に関するものである。
【０００２】
【従来の技術】
従来、甘蔗の栽培として、（ａ）成熟した蔗茎を刈り取った後の残存切株から発芽させて行う株出し栽培方法、（ｂ）成熟した蔗茎を上下２節毎に切断して得たいわゆる２節苗を各期（春期−１〜４月，夏期−８〜１１月）毎に新規に植え付け、それに発芽させて行う２節苗新植栽培方法がよく知られている。
【０００３】
また、（ｃ）梢頭部を切除することにより側芽が発芽する催芽現象を連続的に起こさせることによって得た所要長さの側芽成長茎、すなわち、展開葉が所要枚数になるまで成長した側芽の第１０節等より上部である梢頭部を切除することを繰り返し行うことによって得た所要長さの側芽成長茎を、基苗（側枝苗）とし、これを本圃に植え付ける側枝苗移植栽培方法ともいうべき栽培方法が特開平８−２８０２４４号公報に開示されている。
【０００４】
【発明が解決しようとする課題】
（ａ）の株出し栽培方法は、同じ切株が数年にわたって用いられ、発芽、成長および刈取りが繰り返されるから、年を経るにつれて発芽率が劣り、蔗茎が老化、病弱化し、収穫量、糖分も低減する。
【０００５】
（ｂ）の２節苗新植栽培方法は、２節苗の採取すなわち苗作りはもちろん植付けそのものにも多大な労力を要し、また、その２節苗の発芽率が、蔗茎の成熟度、気象条件または土壌条件等の影響を受け通常５０〜６０％であり、かつ、一旦発芽、成長した苗であっても枯死することがある。
さらに、甘蔗栽培農家は、各期毎に収穫量の１０％以上を次期のための２節苗の採取に供しなければならないものであるが、実質的には、その分だけ収穫減となる。
【０００６】
（ｃ）の側枝苗移植栽培方法は、（ａ）（ｂ）の栽培方法の上記の如き欠点を殆ど解消すると認められる。
しかし、この（ｃ）の栽培方法では、展開葉が所要枚数になるまで成長した側芽の第１０節等より上部である梢頭部を切除することを繰り返し行うものであるから、目的の側芽成長茎は、順次枝分かれ拡開状態になりながら本数を増やし、母茎に対して放射状分散状態になる。したがって、その採取に手間が掛かる。
【０００７】
本発明甘蔗の苗用枝茎の栽培生産法は、上記（ｃ）の側枝苗移植栽培方法における側枝苗に相当する苗用枝茎、すなわち、二次，三次または四次枝茎を蔗茎（母茎）の節の部分に多数集中的に群生させ、これにより苗用枝茎の採取をあまり手間を掛けることなく効率的に行うことができるようにしたものである。
【０００８】
【課題を解決するための手段】
請求項１記載の本発明甘蔗の苗用枝茎の栽培生産法は、次の構成からなる。
（１）  母茎として利用する甘蔗を栽培し、それが所要の茎丈となったとき、頂芽成長点を含む上側茎を切除するとともに、残存する下側茎の葉を取り払って母茎ａとすること。
（２）  上記母茎ａの節に発芽する一次腋芽３が、第８〜１４芽苞より第１〜７展開葉４〜１０が伸長するまで成長したとき、すなわち、展開葉を少なくとも７枚有する一次枝茎ｂに成長したとき、その一次枝茎ｂを、第５節部分であってかつ第４芽苞と第５芽苞の重合部分の中間でカットし、その重合部分に位置する頂芽成長点を含む一次枝茎上側茎ｂ′を切除し、これにより、母茎ａの各節の一次腋芽３の着生部に一次枝茎基部ｂ″だけを残存させること。
（３）  その一次枝茎基部ｂ″の節に発芽する二次腋芽を、二次枝茎ｃに成長させ、上記一次枝茎基部ｂ″に二次枝茎ｃを集中群生させて二次枝茎塊とすること。
（４）  上記一次枝茎基部ｂ″を母茎ａの着生部分で切断することにより上記二次枝茎塊全体を母茎ａから切り離し、その二次枝茎塊から二次枝茎ｃを、その各々に芽基および根基組織部分を付けた状態にして切り離すこと。
【０００９】
請求項２記載の本発明甘蔗の苗用枝茎の栽培生産法は、次の構成からなる。
（１）  母茎として利用する甘蔗を栽培し、それが所要の茎丈となったとき、頂芽成長点を含む上側茎を切除するとともに、残存する下側茎の葉を取り払って母茎ａとすること。
（２）  上記母茎ａの節に発芽する一次腋芽３が、第８〜１４芽苞より第１〜７展開葉４〜１０が伸長するまで成長したとき、すなわち、展開葉を少なくとも７枚有する一次枝茎ｂに成長したとき、その一次枝茎ｂを、第５節部分であってかつ第４芽苞と第５芽苞の重合部分の中間でカットし、その重合部分に位置する頂芽成長点を含む一次枝茎上側茎ｂ′を切除し、これにより、母茎ａの各節の一次腋芽３の着生部に一次枝茎基部ｂ″だけを残存させること。
（３）  その一次枝茎基部ｂ″の節に発芽する二次腋芽が、展開葉を５〜６枚有する二次枝茎ｃに成長したとき、その二次枝茎ｃを、第５節部分であってかつ第４芽苞と第５芽苞の重合部分の中間でカットし、その重合部分に位置する頂芽成長点を含む二次枝茎上側茎ｃ′を切除し、これにより、母茎ａの各節の上記一次枝茎基部ｂ″に二次枝茎基部ｃ″を残存させること。
（４）  その二次枝茎基部ｃ″の第５節以降の節に発芽する三次腋芽を、展開葉が最多で５枚となる三次枝茎ｄに成長させ、その三次枝茎ｄを上記一次枝茎基部ｂ″に二次枝茎基部ｃ″を介し集中群生させて三次枝茎塊とすること。
（５）  上記一次枝茎基部ｂ″を母茎ａの着生部分で切断することにより上記三次枝茎塊全体を母茎ａから切り離し、その三次枝茎塊から三次枝茎ｄを、その各々に芽基および根基組織部分を付けた状態にして切り離すこと。
【００１０】
請求項３記載の本発明甘蔗の苗用枝茎の栽培生産法は、次の構成からなる。
（１）  母茎として利用する甘蔗を栽培し、それが所要の茎丈となったとき、頂芽成長点を含む上側茎を切除するとともに、残存する下側茎の葉を取り払って母茎ａとすること。
（２）  上記母茎ａの節に発芽する一次腋芽３が、第８〜１４芽苞より第１〜７展開葉４〜１０が伸長するまで成長したとき、すなわち、展開葉を少なくとも７枚有する一次枝茎ｂに成長したとき、その一次枝茎ｂを、第５節部分であってかつ第４芽苞と第５芽苞の重合部分の中間でカットし、その重合部分に位置する頂芽成長点を含む一次枝茎上側茎ｂ′を切除し、これにより、母茎ａの各節の一次腋芽３の着生部に一次枝茎基部ｂ″だけを残存させること。
（３）  その一次枝茎基部ｂ″の節に発芽する二次腋芽が、展開葉５〜６枚有する二次枝茎ｃに成長したとき、その二次枝茎ｃを、第５節部分であってかつ第４芽苞と第５芽苞の重合部分の中間でカットし、その重合部分に位置する頂芽成長点を含む二次枝茎上側茎ｃ′を切除し、これにより、母茎ａの各節の一次枝茎基部に二次枝茎基部ｃ″を残存させること。
（４）  その二次枝茎基部ｃ″の第５節以降の節に発芽する三次腋芽を、展開葉が５〜６枚となる三次枝茎ｄに成長させ、その三次枝茎ｄを、第５節部分であってかつ第４芽苞と第５芽苞の重合部分の中間でカットし、その重合部分に位置する頂芽成長点を含む三次枝茎上側茎ｃ′を切除し、これにより、上記二次枝茎基部ｃ″に三次枝茎基部を残存させること。
（５）  その三次枝茎基部の第５節以降の節に発芽する四次腋芽を、展開葉を最多で５枚有する四次枝茎ｄに成長させ、その四次枝茎ｄを上記一次枝茎基部ｂ″に二次枝茎基部ｃ″および三次枝茎基部を介し集中群生させて四次枝茎塊とすること。
（６）  上記一次枝茎基部ｂ″を母茎ａの着生部分で切断することにより上記四次枝茎塊全体を母茎ａから切り離し、その四次枝茎塊から四次枝茎を、その各々に芽基および根基組織部分を付けた状態にして切り離すこと。
【００１１】
請求項４記載の本発明は、母茎ａとして利用する甘蔗を栽培し、それが所要の茎丈となったとき、第１節から第１２節までを残して、その上方部分、すなわち頂芽成長点を含む上側茎を切除するとともに、残存する下側茎の葉を取り払って母茎ａとする請求項１，２または３記載の甘蔗の苗用枝茎の栽培生産法である。
【００１２】
請求項５記載の本発明は、母茎として利用する甘蔗を、成熟した蔗茎から得た２節苗１を植え付けることによって栽培する請求項１，２，３または４記載の甘蔗の苗用枝茎の栽培生産法である。
【００１３】
上記において、母茎ａとして利用するための甘蔗としては、成熟した蔗茎から得た２節苗を植え付けることが最も好ましいし、蔗茎が約３００ｃｍに成長したとき上側茎を切除して、下側茎を母茎ａとすることは、その母茎ａが適度に成熟しているので、本圃への活着度の高い高次枝茎苗ｈを成長採取するのに適しているものである。この場合、蔗茎を茎丈１２０ｃｍでカットすると、作業員の平均的な背丈等からして、その後の各種作業を行うのに好適である。
【００１４】
母茎ａの一次腋芽３から成長する一次枝茎ｂを、その展開葉が少なくとも７枚となるまで成長させたとき、それの頂芽成長点を含む一次枝茎上側茎ｂ′を切除し、母茎ａに一次枝茎基部ｂ″を残存させることによって、その一次枝茎基部ｂ″に二次腋芽を効率よく発芽させ、二次枝茎ｃに成長させることができるものである。
【００１５】
その二次枝茎ｃを、展開葉が５〜６枚となるまで成長させたとき、それの頂芽成長点を含む二次枝茎上側茎ｃ′を切除し、上記一次枝茎基部ｂ″に二次枝茎基部ｃ″を残存させ、また、その二次枝茎基部ｃ″の三次腋芽から成長する三次枝茎ｄを、その展開葉が最多で５枚となるまで成長させたとき、それの頂芽成長点を含む三次枝茎上側茎を切除し、上記二次枝茎基部ｃ″に三次枝茎基部を残存させることによって、あるいは、同様にして四次枝茎を成長させることによって、上記母茎ａに残存している一次枝茎基部ｂ″に上記三次枝茎ｄまた四次枝茎である高次枝茎を、それらにより高次枝茎塊ｅを形成するように集中群生させることができるものである。
【００１６】
【発明の実施の形態】
以下には、本発明甘蔗の苗用枝茎の栽培生産法の実施形態を説明し、つづいてその苗用枝茎から得た枝茎苗の移植栽培方法について説明する。
【００１７】
〔母茎として利用する甘蔗の栽培〕
成熟した蔗茎を上下２節毎に切断して得た２節苗１を、畦幅約１４０ｃｍ，深さ約２５ｃｍで形成した畦溝２内に、約５０ｃｍ間隔で横置きする（図１）とともに所要の覆土をして植え付け、その２節苗１から発芽し、茎丈が約３００ｃｍに成長するまで約７ケ月間栽培する（図２）。
【００１８】
その茎丈約３００ｃｍの蔗茎を、作業員の背丈等を考慮し、爾後の作業が行い易いように、たとえば茎丈約１２０ｃｍのところでカットすることによって、第１節から第１２節までを残して、その上方部分、すなわち甘蔗の頂芽成長点を含む上側茎約１８０ｃｍを切除する。そして、上記カット部を消毒するとともに、着生している葉を取り払ういわゆる剥葉処理を行う。
これにより、病害虫の発生を防ぐとともに各節に太陽光が十分に照射されるようになった母茎ａを得る（図３）。
【００１９】
〔一次枝茎および二次枝茎の育成〕
母茎ａは、頂芽成長点が切除され、頂芽優勢が破れていることによって、上記上側茎切除と剥葉処理の後、５日後には、通常２〜６個、平均５個の腋芽を発芽させる。本例では、第４，６，８，１０および１２節に各１個計５個の一次腋芽３が発芽した場合を示した（図４）。
【００２０】
上記各節の一次腋芽３が、第８〜１４芽苞より第１〜７展開葉４〜１０が伸長するまで成長したとき、すなわち、展開葉を少なくとも７枚有する一次枝茎ｂに成長したとき（図５）、その一次枝茎ｂを、第５節部分であってかつ第４芽苞と第５芽苞の重合部分の中間点でカットし、その重合部分に位置する頂芽成長点を含む一次枝茎上側茎ｂ′を切除し、これにより、母茎ａの各節の一次腋芽３の着生部には、第１〜５節からなる一次枝茎基部ｂ″だけを残存させる（図６）。
【００２１】
一次枝茎ｂは、その展開葉を未だ７枚程度としているときには、第６節以降の第６，７，８……といった各節が、未だ第５節に内包された同心状態、換言すると年輪のように同心の輪を成して位置する。
ちなみに、一次枝茎ｂの頂芽成長点は、第５節部分に存在するが、それは芽苞で覆われているので外方から目視判断することはできない。しかし、第４芽苞と第５芽苞の重合部分の中間点でカットすると、その頂芽成長点を切除できることは経験則上確認されている。
また、一般に甘蔗の枝茎においては、第５節以降のものに、初めて芽基および根基組織部分が存在するものである。
【００２２】
上記一次枝茎上側茎ｂ′の切除により、第６，７，８……の各節が、その節間を各々伸長させる（図７）とともに、第５〜８節に各１個計４個の二次腋芽を発芽する。
各節の二次腋芽が、上記一次腋芽３の場合と同じようにして、展開葉を５〜６枚となるまで伸長し二次枝茎ｃに成長したとき（図８）、その二次枝茎ｃを、第５節部分であってかつ第４芽苞と第５芽苞の重合部分の中間点でカットし、その重合部分に位置する頂芽成長点を含む二次枝茎上側茎ｃ′を切除し、これによって、一次枝茎基部ｂ″の各節の二次腋芽の着生部には、第１〜５節からなる二次枝茎基部ｃ″を残存させる（図９）。
【００２３】
〔三次枝茎の育成〕
その二次枝茎基部ｃ″は、頂芽成長点を含む二次枝茎上側茎ｃ′の切除によって、第６，７，８……の各節が、その節間を伸長させるとともに、第６，７節に各１個計２個の三次腋芽を発芽する。
各節の三次腋芽を、上記一次腋芽３または二次腋芽の場合と同じようにして、展開葉が最多で５枚となるまで育成し三次枝茎ｄに成長させる。
以上によって、本例の１本の母茎ａ全体では、三次枝茎ｄは、５×４×２＝４０本が成長し、かつ、それらは、母茎ａの第５，６，８，１０，１２節の部分、さらに具体的には、その各節に着生している一次枝茎基部ｂ″に二次枝茎基部ｃ″を介して８本の三次枝茎ｄが集中群生するところとなる（図１０）。
【００２４】
〔三次枝茎の採取〕
本例においては、上記三次枝茎ｄをもって目的の高次枝茎とし、これを採取するものであるが、それには、上記一次枝茎基部ｂ″を母茎ａの上記各節の着生部分で切断することにより、８本の三次枝茎ｄを持った高次枝茎塊ｅ全体を母茎ａから切り離す（図１１）。
この高次枝茎塊ｅは、約８℃の低温であれば、後記する集合育苗器具への挿し植えの前１０日程度の保存が可能なものであるが、本例では、その低温による保存を行った後の高次枝茎塊ｅから８本の三次枝茎ｄを個々に切り離した。
この三次枝茎ｄの切り離しに当たっては、たとえば、２本の三次枝茎ｄが着生している二次枝茎基部ｃ″を二つ割りした後で（図１２）、その二次枝茎基部ｃ″の節（第５節以降）に存在する前記芽基および根基組織部分１１が、切り離される三次枝茎ｄの三次枝茎基部ｄ″側に付いた状態にして、切り離すことが大事である（図１３）。
以上により、１本の母茎ａから目的の三次枝茎ｄである高次枝茎を５×４×２本すなわち４０本採取することができるものである。
【００２５】
なお、１本の母茎からの三次枝茎ｄの採取は、５×６×４本すなわち１２０本が可能な場合等もあり、本例の５×４×２本すなわち４０本は平均的なものということができる。
また、１本の母茎からの高次枝茎の採取本数を増やすには、上記した本例の三次枝茎ｄまでの育成と同じようにして、四次枝茎を育成し、これを採取することも可能で、その場合には、５×４×２×２本すなわち８０本、あるいは、５×６×４×２本すなわち２４０本を採取できる。
【００２６】
〔育苗前管理としての三次枝茎の区分と剪葉処理〕
上記要領により多数の母茎から採取した大量の高次枝茎である三次枝茎ｄは、本圃への移植により活着し自立成長するのに必要な根が伸長した高次枝茎苗に育苗されるものであるが、その育苗前処理として、まず、葉数が同じもの毎に、すなわち、１葉，２葉，３葉，４葉，５葉の各々のもの同士に予め区分される。
これは、この後の育苗管理において、同じ１個の集合育苗器具で葉数の異なるものが混在する状態で育苗しようとすると、葉数の少ないものは日陰になり光合成が十分でないために発根が著しく遅れ枯死するのを回避するためである。
【００２７】
次に、上記のように区分した各三次枝茎ｄを茎丈１５〜２０ｃｍのところで剪葉処理する（図１４）。
これは、育苗中に葉が邪魔して通気が不十分になるようなことをなくし、早期の発根を促すためである。したがって、特に葉数の多いものに対するこの剪葉処理は不可欠なことである。
【００２８】
〔育苗〕
母茎から採取した三次枝茎ｄである高次枝茎を、これに発根させ、上記のように本圃に活着し成長するのに必要な根が伸長した高次枝茎苗にするために、発明者らは各種の集合育苗器具を使用して実験した。
その結果、前記した３種類の集合育苗器具中、多数の収容部が多数の紙筒により形成されているとともに、その収容部の各々を分離することができるようにした構成のもの（日本甜菜製糖株式会社製、登録商標「ペーパーポット」）であって、しかも、１個が、直径３ｃｍ，高さ１０ｃｍの紙筒１２を、縦列に１２本，横列に２２本にして合計２６４本をハニカム配列にしてなる集合育苗器具ｆが本例の育苗に最適であるとの知見を得た。
【００２９】
そこで、かかる集合育苗器具ｆの各紙筒１２に、肥料を混入していない培土、すなわち、無肥料の培土を充填するとともに、その各々に、上記三次枝茎ｄを深さ約３ｃｍにして挿し植えした（図１５）。
この場合、１個の集合育苗器具ｆには、同じ葉数の三次枝茎ｄを挿し植えし、葉数の異なるものが混在しないようにした。
また、集合育苗器具ｆを育苗ハウスｇ内に配列するについても、同じ葉数の三次枝茎ｄを挿し植えした集合育苗器具ｆ同士毎にグループ化して、しかも、集合育苗器具ｆ各々の間隔を少なくとも１５ｃｍ程度にして配列した（図１６）。
【００３０】
育苗ハウスｇ内の気温を２５〜３０℃に維持し、急激な温度変化を避けるようにし、かつ、灌水は、集合育苗器具ｆの育苗ハウス内配列を終えたところで直ちに行うとともに、特に当日は昼夜にわたり十分に行い、２日目からは昼間のみ１時間毎に約１０分間行い、夜間の灌水を行わなかった。
これにより、三次枝茎ｄは、春期においては挿し植え後４〜７日で、夏期においては同じく挿し植え後３〜５日で発根した。
春期の挿し植え１０日以降、また、夏期の挿し植え７日以降は、葉が萎れない程度に灌水すると足りた。
【００３１】
上記のように、発根が比較的早いのは、培土に肥料を混入していないとともに挿し植え後の施肥を行っていないことが、却って発根を促進したものである。発根後は週に１回の割合で所要の施肥を行うことにより根のその後の伸長が一層促進された。
【００３２】
春期においては４週間、夏期においては３週間の育苗期間で、上記三次枝茎ｄは、１葉のものがその葉数を４葉とし、２葉のものがその葉数を４〜５葉とし、３葉のものがその葉数を５〜６葉とし、４葉のものがその葉数を５〜６葉とし、５葉のものがその葉数を６〜７葉とし、かつ、これらはいずれも、主根１３に多数の分岐根１４を伸長させた根部に土を付けたいわゆる根鉢を形成した高次枝茎苗ｈに成長した（図１７）。
【００３３】
〔移植〕
本圃への移植にあたっては、その移植の約１週間前（したがって、春期では挿し植え後３週間、夏期では同２週間を経たとき）に、集合育苗器具ｆを育苗ハウスｇから外に出し、高次枝茎苗ｈの順化、すなわち、高次枝茎苗ｈを環境変化に順応させる。これによって、各苗の本圃への活着が容易確実となる。
【００３４】
さらに、本圃への移植の３日前には、苗丈をほぼ２５〜３５ｃｍになるように剪葉して揃え（図１８）、これにより、専用移植機による本圃への自動移植作業を円滑に行えるように準備する。
ただし、苗丈を上記のようにほぼ２５〜３５ｃｍに剪葉したとき、第１展開葉が殆どなくなる高さまで成長してしまっている高次枝茎苗ｈは、本圃に移植しても活着することなく枯死するので、そのような高次枝茎苗ｈについては剪葉することなく、それを含む１個の集合育苗器具ｆごと除き、そのままで補植用苗として使用するのに備える。
【００３５】
専用移植機はトラクタ牽引型であり、その走行にともなって自動駆動する苗列分離機構、苗個別分離機構，苗植付け機構および作溝機構等を搭載している。
移植は、上記苗列分離機構によって集合育苗器具ｆの紙筒１２を、列単位ですなわち横列２２本毎に一括分離するとともに、それを苗個別分離機構により個別に分離して苗植付け機構に送給し、作溝機構により、畦幅１４０〜１５０ｃｍで先行掘削する溝幅７５〜８０ｃｍ，深さ約２５ｃｍの畦溝１５の底部に、上記紙筒１２ごと高次枝茎苗ｈを、所要の株間隔で、しかも、紙筒１２の上部約２ｃｍを露出させた状態にして連続的に植え付けることによって行った（図１９）。
【００３６】
このようにして移植した高次枝茎苗ｈの活着率は９５％以上であった。これは従来の２節苗新植栽培方法の発芽率そのものが、蔗茎の成熟度、気象条件または土壌条件等の影響で通常５０〜６０％にすぎなかったのに比べると、格段の進歩であり、収穫量の向上に寄与できること明らかである。
【００３７】
また、上記のように、紙筒１２の上部約２ｃｍを土中に埋め込むことなく露出させた浅植え状態になっていることと、その植付け深さが一定であることによって、根に近い茎の部分からする枝分かれ、すなわち、分蘖（ぶんけつ）が、従来の栽培方法による場合に比較すると約１０％多くなり、収穫量の向上にさらに大きく寄与した。
【００３８】
【発明の効果】
以上述べたところから明らかなように、本発明によれば、多数の枝茎を蔗茎（母茎）の節の部分に集中的に群生させるので、枝茎の採取をあまり手間を掛けることなく効率的に行うことができ、また、育苗ハウス内での育苗において、葉数の同じ枝茎別に集合育苗器具に挿し植えし、しかも、葉数の同じ枝茎を収容した集合育苗器具同士を所要の間隔をあけて設置し、かつ、当初は敢えて施肥をしないことにより発根を促す管理を行うから、ほぼ同じ苗丈に揃いかつ活着に必要な分岐根を多数伸長させた枝茎苗を得ることができる。
【図面の簡単な説明】
【図１】母茎として利用する甘蔗を栽培するために２節苗を植え付けている状態の説明図である。
【図２】母茎として利用できる程度に成長した甘蔗の正面図である。
【図３】同上の甘蔗の頂芽成長点を含む上側茎の所要長さを切除して１２節目までを残すとともに剥葉処理してなる母茎の説明図である。
【図４】同上の母茎の第４，６，８，１０，１２節に各１本計５本の一次枝茎が成長している状態を示す説明図である。
【図５】同上の一次枝茎がその頂芽成長点を、第５節部分であってかつ第４芽苞と第５芽苞の重合部分に位置させ、展開葉を７〜８枚にするところまで成長した状態の説明図である。
【図６】同上の一次枝茎を、第４芽苞と第５芽苞との重合部分の中間点でカットし、頂芽成長点を含む一次枝茎上側茎を切除し、一次枝茎基部だけを母茎に残した状態を示す説明図である。
【図７】同上の一次枝茎基部の第５節以降の節である第６節〜第８節が伸長した状態を示す説明図である。
【図８】同上の一次枝茎基部の第５節〜第８節の各々に各１本計４本の二次枝茎が成長している状態を示す斜視図である。
【図９】展開葉が５，６枚になるところまで成長した同上の二次枝茎を、一次枝茎の場合と同様に、第４芽苞と第５芽苞との重合部分の中間点でカットし、頂芽成長点を含む二次枝茎上側茎を切除し、二次枝茎基部だけを一次枝茎基部に残した状態を示す説明図である。
【図１０】同上の４個の二次枝茎基部の第６節と第７節に各１本計８本の三次枝茎が展開葉を最多のもので５枚になるまで成長した状態であって、前記一次枝茎基部が着生している母茎に高次枝茎塊を形成した状態を示す斜視図である。
【図１１】母茎から切り離した状態の上記高次枝茎塊の斜視図である。
【図１２】上記高次枝茎塊を個々の三次枝茎（すなわち高次枝茎）に切り離している状態の説明図である。
【図１３】切り離された三次枝茎の正面図で、（１）は４葉の三次枝茎、（２）は５葉の三次枝茎を示す。
【図１４】高さ１５〜２０ｃｍに切断した三次枝茎の正面図で（１）は４葉の三次枝茎、（２）は５葉の三次枝茎を示す。
【図１５】４葉の三次枝茎を集合育苗器具に挿し植えしている状態の説明図である。
【図１６】三次枝茎を挿し植えした集合育苗器具の育苗ハウス内における配置状態の説明図である。
【図１７】移植可能な状態に成長した高次枝茎苗の発根状態を示す説明図である。
【図１８】移植直前に、集合育苗器具に植設状態のまま所定の剪葉処理をした状態を示す高次枝茎苗の説明図である。
【図１９】高次枝茎苗の本圃への移植状態を示す説明図である。
【符号の説明】
ａ        母茎
ｂ        一次枝茎
ｂ′      一次枝茎上側茎
ｂ″      一次枝茎基部
ｃ        二次枝茎
ｃ′      二次枝茎上側茎
ｃ″      二次枝茎基部
ｄ        三次枝茎
ｄ″      三次枝茎基部
ｅ        高次枝茎塊
ｆ        互いに分離できるようした多数の紙筒をハニカム配列にした集合育苗器具（日本甜菜製糖株式会社製、登録商標「ペーパーポット」）
ｇ        育苗ハウス
ｈ        高次枝茎苗
１        ２節苗
２        畦溝
３        一次腋芽
４        第１展開葉
５        第２展開葉
６        第３展開葉
７        第４展開葉
８        第５展開葉
９        第６展開葉
１０      第７展開葉
１１      芽基および根基組織部分
１２      紙筒
１３      主根
１４      分岐根
【図１】
0003774865.tif 000002
【図２】
0003774865.tif 000003
【図３】
0003774865.tif 000004
【図４】
0003774865.tif 000005
【図５】
0003774865.tif 000006
【図６】
0003774865.tif 000007
【図７】
0003774865.tif 000008
【図８】
0003774865.tif 000009
【図９】
0003774865.tif 000010
【図１０】
0003774865.tif 000011
【図１１】
0003774865.tif 000012
【図１２】
0003774865.tif 000013
【図１３】
0003774865.tif 000014
【図１４】
0003774865.tif 000015
【図１５】
0003774865.tif 000016
【図１６】
0003774865.tif 000017
【図１７】
0003774865.tif 000018
【図１８】
0003774865.tif 000019
【図１９】
0003774865.tif 000020